(57)【特許請求の範囲】
【請求項１】
門を開閉するために前記門の一端側に設けられた門柱と、
前記門柱に向けて走行可能な引き戸と、
前記引き戸の走行を誘導するためであって門を通過する際の通路を横切って設けられた二個一対の引き戸レールと、
前記引き戸に設けられた錠と、
前記門柱に設けられて前記錠と係合する錠受けとを備え、
前記引き戸レールは前記門柱が固定される門柱固定部材が取付けられ、
前記門柱は、前記門柱固定部材を介して引き戸レールに固定され、
二個一対の前記引戸レールは、複数の連結部材を介して連結され、
前記門柱固定部材は、前記引き戸レールの長手方向に沿って延び、かつ、前記連結部材に固定される連結部と、平面視において該引戸レールと直交する方向に延び、かつ、前記門柱が固定される門柱固定部とを備えている
ことを特徴とする門。
【請求項２】
前記門柱固定部材の連結部は、複数の連結部材に固定されている
ことを特徴とする請求項１に記載の門。
【発明の詳細な説明】
【技術分野】
【０００１】
本発明は、引き戸によって開閉される門に関して、特に引き戸の走行を誘導する引き戸レールを備えた門に関する。
【背景技術】
【０００２】
一般に、建物の外構や敷地境界部における門には、開閉するための門扉が設けられている。門の開閉させる手段としては、例えば、門柱に対して回動可能に取り付けた門扉によって開閉させる形態や、門柱間を移動する引き戸によって開閉させる形態があり、後者に用いられる門扉としては、移動方向に折り畳み可能な形態や、移動方向に長くに形成された形態等の引き戸を挙げることができる。
【０００３】
例えば、特許文献１には、柵体を前後方向に複数個備え、前後に隣り合う各柵体を、その一方の柵体の上下横材に左右方向に形成されたガイド溝と、他方の柵体の上下横材に設けられ且つ前記ガイド溝により案内されるガイドローラとを介して左右方向に伸縮移動自在に連結し、前後一端側の柵体の下横材の左右両端部に台車を、他の柵体の下横材の一端側に台車を夫々設けた複連引き戸式柵が開示されている。
【０００４】
また、特許文献２には、走行車輪を有する１個の扉体を、地面側に敷設されたガイドレールに沿って格納用の引き込み部と閉鎖位置との間で開閉方向に移動自在に備えた引き戸が開示されている
【先行技術文献】
【特許文献】
【０００５】
【特許文献１】特開２０００−５４７６７号公報
【特許文献２】特開２００４−９２２９２号公報
【発明の概要】
【発明が解決しようとする課題】
【０００６】
ところで、特許文献１、特許文献２に記載の引き戸は、いずれも門を閉じた位置で施錠されることが多く、一般には、引き戸に錠が設けられており、門柱に錠受けが設けられている。また、特許文献１の図１、特許文献２の図２等に示されるように、ガイドレールと門柱とは別々に埋設されている。したがって、それぞれの僅かな施工誤差等によって、前記の錠と錠受けとの係合位置がずれてしまうおそれがある。具体的には、支柱の錠受けに対して、錠が上下方向、左右方向へのずれ、錠受けに対して錠が係合する角度のずれ等よって施錠できないおそれがある。これに対して、錠や錠受けで施工誤差を吸収する構造が提案されているが、吸収できる寸法が大きいほど錠や錠受けの構造が複雑になる傾向にあり、また吸収できる施工誤差にも限界があった。
【０００７】
本発明は、前記の如き問題点を解消し、門を閉じた位置に引き戸を配置して施錠する際、引き戸側の錠と門柱側の錠受けを係合させやすい門を提供する。
【課題を解決するための手段】
【０００８】
上記目的を達成するために、本発明は次のような構成としている。
すなわち本発明に係る門は、門を開閉するために前記門の一端側に設けられた門柱と、前記門柱に向けて走行可能な引き戸と、前記引き戸の走行を誘導するためであって門を通過する際の通路を横切って設けられた二個一対の引き戸レールと、前記引き戸に設けられた錠と、前記門柱に設けられて前記錠と係合する錠受けとを備え、前記引き戸レールは前記門柱が固定される門柱固定部材が取付けられ、前記門柱は、前記門柱固定部材を介して引き戸レールに固定され、二個一対の前記引戸レールが複数の連結部材を介して連結され、前記門柱固定部材は、前記引き戸レールの長手方向に沿って延び、かつ、前記連結部材に固定される連結部と、平面視において該引戸レールと直交する方向に延び、かつ、前記門柱が固定される門柱固定部とを備えていることを特徴とするものである。
【０００９】
また、本発明に係る門において、前記門柱固定部材の連結部は、複数の連結部材に固定されたものでもよい。
【発明の効果】
【００１０】
本発明によれば、前記門柱は、前記門柱固定部材を介して引き戸レールに固定されているので、引き戸レールと門柱との位置関係がずれることがなく、引き戸を閉めた際、引き戸の錠は門柱の錠受けにスムーズに係合させることができる。
【００１１】
また、門柱固定部材は埋設されていてもよい。そうすれば、引き戸レールと門柱との間があいていても、引き戸レールと門柱との位置関係はずれにくくなる。
【図面の簡単な説明】
【００１２】
【図１】本発明に係る門において実施の一形態を示す説明図である。
【図２】図１の引き戸レール付近の部分断面図である。
【図３】図１の引き戸レールの説明図である。
【発明を実施するための形態】
【００１３】
次に、本発明を実施するための最良の形態について図面を参照し、具体的に説明する。
【００１４】
図１は本発明に係る門において実施の一形態を示す説明図である。本形態に係る門Ｇは、門Ｇを開閉する引き戸１と、前記引き戸１の走行を誘導する引き戸レール２と、引き戸１を移動させて門Ｇを閉じた際、引き戸１の錠３が係止される錠受け４が設けられた門柱５とを備えている。
【００１５】
引き戸１は、門Ｇを開閉するために門Ｇの一端側から他端側に向けて走行可能となされており、引き戸レール２上を走行するための回転自在な車輪１１と前記車輪１１を支持する車輪支持部１２を備えた走行体１３が取付けられた土台部１４と、土台部１４上に設けられた引き戸本体１５とを備えている。
【００１６】
引き戸１は、引き戸レール２に沿って移動することにより門Ｇの開閉をできればよいので、少なくとも門Ｇを閉じるために必要な長さを有していればよく、本形態のように、複数の引き戸１を有し、移動方向に沿って引き戸１の引き戸本体１５同士がスライド可能に連結されている、いわゆる、連戸型引き戸でもよく、引き戸レール２の長手方向に対して伸縮可能な形態でもよい。後者としては、複数の引き戸を長手方向にスライド可能に連結した形態、Ｘ字状に回転可能に連結された部材同士を連結した、いわゆる、アコーディオン型の形態を挙げることができる。
【００１７】
引き戸本体１５は、本形態のように２個の土台部１４上に設けられていれば、引き戸１を安定して走行させることができるが、更に走行を安定させるために、図１に示すように、引き戸本体１５の下部に走行体１３を設けてもよい。
【００１８】
引き戸レール２は、図１に示すように、門Ｇを通過する際の通路を横切って設けられており、引き戸レール２に沿って引き戸１をＸ方向に移動させることによって門Ｇを閉じ、その逆方向に移動させることにより門Ｇを開けて通過可能とするものである。本形態では、引き戸レール２は２個一対に設けられているが、引き戸レール２の数は、引き戸１に取付けられた走行体１３の位置や数によって適宜設定することができる。なお引き戸レール２は、本形態のでは、敷地を囲む外塀Ｗより内側である敷地内側に設けられたものであるが、特に限定されるものではなく、引き戸レール２上を走行する引き戸１が、門Ｇを閉じた状態と門Ｇを開いた状態とを取り得るようにできればよい。
【００１９】
図２は、図１における引き戸レール２と走行体１３との関係を示す説明図である。引き戸レール２は、走行体１３の車輪１１が回転して走行する車輪走行面２１と、車輪１１が引き戸レール２から外れないようにするためのガイド部２２とが、長手方向に沿って連続して形成されている。
【００２０】
車輪走行面２１は、車輪１１がスムーズに回転すればよいので、一般には平坦に形成されているが、車輪１１の外形に合わせて適宜設定することができる。ガイド部２２は、車輪１１が車輪走行面２１上を回転して移動する際に、その移動を干渉せず、かつ、車輪１１が車輪走行面２１から容易に外れないように車輪１１を支持できる形態であればよい。
【００２１】
ガイド部２２は、車輪走行面２１よりも下方に向けて凹んで、引き戸レール２の長手方向に連続的に成形された溝状部となされており、その溝状部の下部は、その側方に向けて延設されて延設部２３が形成されている。一方、走行体１３の車輪支持部１２には係止部１６が設けられており、係止部１６は、一端がガイド部２２に取付けられて他端が延設部２３に延びる断面逆Ｌ字状に形成されている。これにより、係止部１６がガイド部２２に係止された状態で、走行体１３の車輪１１は、引き戸レール２の長手方向に沿って上下方向に容易に外れることなく走行できる。更に、図２に示すように、引き戸レール２は左右に対称状に配置されているので、走行体１３の車輪１１は、図２における左右方向にも不必要な移動を抑えることができる。
【００２２】
錠３及び錠受け４は、引き戸レール２上を走行する引き戸１によって門Ｇを閉じた状態で施錠するためのものであって、本形態では、引き戸１において門柱５側に配置された引き戸本体１５の側端部１５ａに錠３が設けられ、錠３の高さ位置に合わせて錠受け４が門柱５に設けられている。
【００２３】
門柱５は、外塀Ｗと一体的に設けられてもよく、外塀Ｗと別体であってもよいが、後者の場合は、外塀Ｗと門柱５との間の隙間から通行人等が容易に通過できなければよく、板材等で隙間を塞いでもよい。
【００２４】
また、図１に示すように、引き戸レール２付近には照明装置６が設けられている。本形態では、引き戸レール２間で間隔をあけて複数設けられている。
【００２５】
照明装置６は、少なくとも引き戸レール２付近が視認されにくい夜間時に発光するようになされている。これによって、引き戸レール２に接近する車両の運転手は、照明装置６から照射された照射光を視認して引き戸レール２を認識し、引き戸レール２付近を安全に通過することができる。
【００２６】
照明装置６の光源としては、ＬＥＤ光源を好適に使用することができる。ＬＥＤ光源は、指向性が高いため特定方向に対しては遠くから見ても視認することができる点で好ましい。なお、前記光源は特に限定されるものではなく、適宜選択することができる。
【００２７】
また、照明装置６は、光源用の電力供給手段として商用電源を用いる形態でもよいが、そのための電源工事の煩雑さ等を考慮すると、電力供給手段としての太陽電池で発電した電力を充電池に蓄電して、照明が必要となる夜間時に光源に電力を供給することができる自発光型の形態が好ましく、更に太陽電池等が照明装置６と一体に形成された形態が好ましい。
【００２８】
次に、引き戸レール２と門柱５との関係について図３を用いて詳しく説明する。本形態では、２個の引き戸レール２がその長手方向に間隔をおいて配置された３個の連結部材２４を介して連結されている。また、図３において、最左の連結部材２４には、引き戸レール２の長手方向の外側に向けて延びる門柱固定部材７が連結されている。
【００２９】
門柱固定部材７は、その先端側が、平面視において引き戸レール２と直交する方向に延びる門柱固定部７１と引き戸レール２側に連結される連結部７２とを備えている。
【００３０】
門柱固定部７１は、本形態では、門柱５が接合される接合面７１ａは引き戸レール２と直交する方向に沿って平坦に形成されている。すなわち、引き戸レール２上を走行する引き戸１において、錠３が設けられた引き戸１の位置は、門Ｇの開口幅や引き戸１の長さや引き戸１の連戸の数によって、引き戸レール２の一方に接近した位置から、他方の引き戸レール２に接近した位置の間で任意の位置を取り得る。したがって、門柱固定部７１は、錠３が設けられた引き戸１の位置に対応して門柱５を固定できる形態が好ましい。
【００３１】
門柱５と門柱固定部７１との接合方法は特に限定されるものではなく、門柱５と門柱固定部７１とをボルトとナットで締結する形態でもよく、門柱固定部７１に門柱５を溶接によって接合する形態でもよいが、接合後は、引き戸レール２と門柱５との位置関係が容易に変わらない形態が好ましい。これによって、引き戸レール２に対し、門柱固定部材７を介して門柱５が固定される。
【００３２】
なお、引き戸１の位置に対応して門柱５を固定するために、門柱固定部材７の連結部７２が連結部材２４の長手方向に対して任意の位置に固定できる形態としてもよい。
【００３３】
引き戸レール２及び門柱５の設置手順として一例を挙げる。まず、引き戸レール２に対して門柱固定部材７を介して門柱５を固定する。続いて、引き戸レール２が設けられる門Ｇの通路付近に設けた埋め込み穴（図示せず）内に引き戸レール２及び門柱５を配置して、前記埋め込み穴を埋めるコンクリートを打設する。これにより、設置時に僅かな施工誤差が生じても、引き戸レール２と門柱５との位置関係は保持されるので、引き戸レール２上を走行する引き戸１の錠３と、門柱５の錠受け４との位置関係はずれにくく、引き戸１の施錠作業をスムーズに実施することができる。
【００３４】
更に、図１に示すように、門Ｇの通路において、引き戸レール２を部分的に配置せずに、歩行者や車椅子等が通行しやすい平坦な通路を設けたい場合は、門柱固定部材７を埋設することによって、前記平坦な通路を確保し、引き戸レール２と門柱５との位置関係をそのまま保持することができる。
【００３５】
門柱固定部材７は、連結部７２が引き戸レール２の長手方向に対して長くなるほど、門柱固定部７１の施工誤差が生じるおそれが高くなるので、図３に示すように、門柱固定部７１を断面略Ｌ字状に形成してもよい。
【００３６】
また、門柱固定部材７が位置ずれしにくくするために、本形態のように、連結部７２が２個の連結部材２４で固定されるようにしてもよい。
【００３７】
照明装置６は、図３に示すように、引き戸レール２と一体的に取付けてもよい。すなわち、２個の連結部材２４の間に、連結部７２が延設されてなる照明装置取付部材２５が取付けられており、該照明装置取付部材２５に照明装置６が取付けられたものである。そして引き戸レール２を設置する際、照明装置６からの照射光が周囲を照らすことができるように埋設すればよい。なお、図示しないが、引き戸レール２には取付けずに、単に引き戸レール２付近に埋設してもよい。
【００３８】
本発明によれば、門Ｇを開閉するために前記門Ｇの一端側に設けられた門柱５に向けて走行可能な引き戸１と、前記引き戸１の走行を誘導するための引き戸レール２と、前記引き戸１に設けられた錠３と、前記門柱５に設けられて前記錠３と係合する錠受け４とを備え、前記引き戸レール２は前記門柱５が固定される門柱固定部材７が取付けられるとともに、前記門柱５は、前記門柱固定部材７を介して引き戸レール２に固定されているので、引き戸レール２と門柱５との位置関係がずれることがなく、門Ｇを閉じる際、門柱５側の錠受け４に引き戸１側の錠３を係合させやすくなる。
【産業上の利用可能性】
【００３９】
本発明に係る門によれば、引き戸レール２は門柱５が固定される門柱固定部材７が取付けられるとともに、前記門柱５は、前記門柱固定部材７を介して引き戸レール２に固定されているので、引き戸レール２と門柱５との位置関係がずれることがなく、門柱５側の錠受け４に引き戸１側の錠３を係合させやすいので、特に門Ｇの通路において、一部に引き戸レール２を設置せずに、通行人や車椅子等のために平坦な通路が形成されている門Ｇに好適に用いることができる。
【符号の説明】
【００４０】
１    引き戸１
１１  車輪１１
１２  車輪支持部１２
１３  走行体１３
１４  土台部１４
１５  引き戸本体１５
１５ａ  側端部１５ａ
１６  係止部１６
２    引き戸レール２
２１  車輪走行面２１
２２  ガイド部２２
２３  延設部２３
２４  連結部材２４
２５  照明装置取付部材２５
３    錠３
４    錠受け４
５    門柱５
６    照明装置６
７    門柱固定部材７
７１  門柱固定部７１
７１ａ  接合面７１ａ
７２  連結部７２
Ｇ    門Ｇ
Ｘ    Ｘ方向
Ｗ    外塀Ｗ
【図１】
0006430779.tif 000002
【図２】
0006430779.tif 000003
【図３】
0006430779.tif 000004